(57)【特許請求の範囲】
【請求項１】
内側部品と、該内側部品の外側に間隔をもって嵌め合わせる外側部品とを同芯上に配設する芯出し治具であって、
先端面が開放面となり、前記内側部品と前記外側部品との間に挿入可能な筒部を有し、
該筒部の筒面上に、周方向に分割され、前記筒部の先端面側が連結された複数の分割片を形成し、
隣接する分割片のうち、一方の分割片の内面を前記内側部品の外面に当接可能とし、外面を前記外側部品の内面と離れるように設定し、
他方の分割片の内面を前記内側部品の外面と離れるように設定し、外面を前記外側部品の内面に当接可能としたことを特徴とする芯出し治具。
【請求項２】
前記分割片は、前記筒部の径方向に可撓なことを特徴とする請求項１記載の芯出し治具。
【請求項３】
前記筒部に着脱可能な把持部を設けたことを特徴とする請求項１又は２記載の芯出し治具。
【発明の詳細な説明】
【０００１】
【発明の属する技術分野】
本発明は、内側部品と、該内側部品の外側に間隔をもって嵌め合わせる外側部品とを同芯上に配設する芯出し治具に関し、更に詳しくは、コーン型スピーカの磁気回路の磁気ギャップを形成する内側部品と外側部品との芯出しを行なう芯出し治具に関する。
【０００２】
【従来の技術】
図６に示すようなコーン型スピーカにおいて、フレーム１のフランジ部１ａには、ダイアフラム２の外周部がエッジ３を介して取り付けられている。更に、フレーム１のフランジ部１ａには、ガスケット４が設けられている。
【０００３】
ダイアフラム２には、ボイスコイル６が巻回されたボイスコイルボビン７が取り付けられている。
ボイスコイルボビン７のダイアフラム２側の開放端はセンターキャップ１０を用いて封止されている。
【０００４】
また、内周部がボイスコイルボビン７に取り付けられ、外周部がフレーム１に取り付けられたダンパー１２によって、ボイスコイルボビン７はフレーム１に取り付けられている。
【０００５】
フレーム１には、ボイスコイルボビン７に対向するように、磁気回路１４が設けられている。
磁気回路１４は、ボイスコイルボビン７に嵌入するセンターポール１６ａと、つば部１６ｂからなるヨーク１６と、このヨーク１６のつば部１６ｂ上に設けられ、ヨーク１６のセンターポール１６ａの円周面に対して間隔を持って配設される円環状のマグネット１７と、該マグネット１７上に設けられ、ヨーク１６のセンターポール１６ａの円周面に対して間隔(磁気ギャップG)を持って配設される円環状のプレート１８とからなっている。
【０００６】
磁気回路１４の磁気ギャップGにボイスコイルボビン７のボイスコイル６が配設される。
そして、ボイスコイルボビン７のボイスコイル６に駆動電流を流すと、ボイスコイルボビン７がピストン運動を行い、ダイアフラム２がその方向に振動し、ダイアフラム２から音波が放射される。
【０００７】
このようなコーン型スピーカおいては、スピーカの特性を向上させるために、プレート１８とセンターポール１６ａとで形成される環状の磁気ギャップGを周方向全体にわたって均一にする必要がある。
【０００８】
そのためには、プレート１８とセンターポール１６ａとを芯出しして、両部品の軸芯を一致するようにしなければならない。
その芯出しの際に用いられる芯出し治具として、図７(a)に示す構成の芯出し治具がある。
【０００９】
治具３１は、把持部３２と、把持部３２と一体的に形成され、先端面が開放面となった筒部３３とから構成されている。
筒部３３には、軸方向のスリット３４が等間隔に形成され、そのスリット３４によって、筒部３３には周方向に複数の分割片３５が形成されている。
【００１０】
そして、分割片３５は異なる２種類の異なる形状の分割片３５ａ,３５ｂからなっている。
即ち、図７(b)に示すように、隣接する分割片のうち、一方の分割片(第１の分割片)３５ａの内面はセンターポール１６ａの外面に当接可能とし、外面はプレート１８の内面より小さく設定されている。
【００１１】
又、他方の分割片(第２の分割片)３５ｂの内面はセンターポール１６ａの外面より大きく設定され、外面はプレート１８の内面に当接可能とされている。
次に、上記構成の治具１の動作を説明する。
【００１２】
センターポール１６ａとプレート１８との間の空間に筒部３３を挿入する。
すると、第１の分割片３５ａの内面はセンターポール１６ａの外面に当接し、第２の分割片３５ｂの外面はプレート１８の内面に当接する。
【００１３】
第１の分割片３５ａ及び第２の分割片３５ｂは複数あるので、センターポール１６ａの外面の数箇所が第１の分割片３５ａによって支持され、プレート１８の内面の数箇所が第２の分割片３５ｂによって支持される。
【００１４】
よって、センターポール１６ａと、プレート１８とは同芯に支持される。
【００１５】
【発明が解決しようとする課題】
しかし、上記構成の治具３１の分割片３５は、それぞれがいわゆる片持ち梁状であり、先端面側(先端部)はそれぞれ自由端部となっている。
【００１６】
よって、第１及び第２の分割片３５ａ,３５ｂの先端面側がセンターポール１６ａやプレート１８に当たりながら、センターポール１６ａとプレート１８との間の空間に挿入されると、第１及び第２の分割片３５ａ,３５ｂの先端面側の角部A(図７(a)参照)が欠けたり、第１及び第２の分割片３５ａ,３５ｂが変形したりする問題点がある。
【００１７】
本発明は、上記問題点に鑑みてなされたもので、その第１の目的は、耐久性が向上する芯出し治具を提供することにある。
本発明の第２の目的は、外径の異なる複数の内側部品、内径の異なる複数の外側部品に対応できる芯出し治具を提供することにある。
【００１８】
本発明の第３の目的は、コストダウンが図れる芯出し治具を提供することにある。
【００１９】
【課題を解決するための手段】
上記課題を解決する請求項１記載の発明は、内側部品と、該内側部品の外側に間隔をもって嵌め合わせる外側部品とを同芯上に配設する芯出し治具であって、先端面が開放面となり、前記内側部品と前記外側部品との間に挿入可能な筒部を有し、該筒部の筒面上に、周方向に分割され、前記筒部の先端面側が連結された複数の分割片を形成し、隣接する分割片のうち、一方の分割片の内面を前記内側部品の外面に当接可能とし、外面を前記外側部品の内面と離れるように設定し、他方の分割片の内面を前記内側部品の外面と離れるように設定し、外面を前記外側部品の内面に当接可能としたことを特徴とする芯出し治具である。
【００２０】
筒部の先端部が内側部品や外側部品に当たりながら挿入されても、分割片の筒部の先端面側(先端部)が連結されているので、分割片が欠けたり、変形したりすることがなくなり、耐久性が向上する。
【００２１】
請求項２記載の発明は、請求項１記載の発明の前記分割片は、前記筒部の径方向に可撓なことを特徴とする芯出し治具である。
前記分割片は、前記筒部の径方向に可撓なことにより、外径の異なる複数の内側部品、内径の異なる複数の外側部品に対応できる。
【００２２】
請求項３記載の発明は、請求項１又は２記載の発明の前記筒部に着脱可能な把持部を設けたことを特徴とする芯出し治具である。
従来では、把持部と筒部とが一体とであったのに比べ、本発明では、把持部と筒部とが分離されているので、把持部のみを変更すれば、人が持ちやすい形状の芯出し治具にしたり、機械にセット可能な形状の芯出し治具にすることができ、コストダウンが図れる。
【００２３】
【発明の実施の形態】
次に図１〜図を用いて本発明の実施の形態例を説明する。
図１は本発明の一実施の形態例の芯出し治具の筒部の斜視図、図２は図１の上面図、図３は図２の切断線III-IIIにおける断面図、図４は図３の切断線IV-IVにおける断面図、図５は筒部と把持部との係合を説明する図である。
【００２４】
尚、本実施の形態例の芯出し治具は、従来例と同様に、図３に示すように、コーン型スピーカーのヨーク２１６,マグネット２１７,プレート２１８からなる磁気回路２１４のプレート２１８とヨーク２１６のセンターポール２１６ａとを芯出しする芯出し治具である。
【００２５】
図１〜図４に示すように、先端面が開放面１００である筒部１０１の筒面上には、周方向に等間隔で軸方向に伸びる複数のスリット１０３が形成されている。尚、これらのスリット１０３は、筒部１０１の両端面まで至らず、筒面内に収まっている。
【００２６】
これらのスリット１０３により、筒部１０１の筒面上には、筒部１０１の先端面側(開放面１００側)が連結部１０９によって連結された複数の分割片１１０が形成されている。
【００２７】
分割片１１０は異なる２種類の異なる形状の分割片、すなわち、第１の分割片１１１と第２の分割片１１３とからなっており、第１の分割片１１１と第２の分割片１１３とは周方向で交互に形成されている。
【００２８】
第１の分割片１１１には、筒部１０１の内筒方向に突出する凹部１１１ａが形成され、内面は内側部品であるセンターポール２１６ａの外面に当接可能で、外面は外側部品であるプレート２１８の外面と離れれるように設定されている。
【００２９】
一方、第２の分割片１１３には、筒部１０１の外筒方向に突出する凸部１１３ａが形成され、外面は外側部品であるプレート２１８の内面に当接可能で、内面は内側部品であるセンターポール２１６ａの外面と離れるように設定されている。
【００３０】
又、第１の分割片１１１の凹部１１１ａの上部及び下部には、薄肉部１１１ｂが形成され、第１の分割片１１１は筒部１０１の径方向に可撓となっている。
同様に、第２の分割片１１３の凸部１１３ａの上部及び下部には、薄肉部１１３ｂが形成され、第２の分割片１１３は筒部１０１の径方向に可撓となっている。
【００３１】
更に、筒部１０１の開放面１００と対向する端面の内面上には、図３に示すように内側部品であるセンターポール２１６ａに当接可能な円筒状の凸部１５０が形成され、この凸部１５０がセンターポール２１６ａに当接することで、芯出し治具の筒部１０１をセンターポール２１６ａとプレート２１８との間の空間に挿入した際の挿入方向の位置決めを行なうようになっている。
【００３２】
次に、図１に示すように、筒部１０１の開放面１００と対向する端面の外面上には、小径筒部１７５が形成され、小径筒部１７５内には、円周上に係合部１７１を有する貫通穴１７０が形成されている。
【００３３】
そして、図５に示すように、小径筒部１７５内に、把持部１８０が嵌合し、把持部１８０の鉤部１８１が筒部１０１の係合部１７１に係合することで筒部１０１と把持部１８０とが一体化され、把持部１８０の鉤部１８１と筒部１０１の係合部１７１との係合を解除することで、筒部１０１と把持部１８０とを分離することができる。
【００３４】
次に、上記構成の芯出し治具の動作を説明する。
センターポール２１６ａとプレート２１８との間の空間に筒部１０１を挿入する。
【００３５】
すると、第１の分割片１１１の凹部１１１ａはセンターポール２１６ａの外面に当接し、第２の分割片１１３の凸部１１３ａはプレート２１８の内面に当接する。
【００３６】
第１の分割片１１１及び第２の分割片１１３は複数あるので、センターポール２１６ａの外面の数箇所が第１の分割片１１１によって支持され、プレート２１８の内面の数箇所が第２の分割片１１３によって支持される。
【００３７】
よって、センターポール２１６ａと、プレート２１８とは同芯に支持される。
上記構成の芯出し治具によれば、筒部１０１の先端面側が内側部品であるセンターポール２１６ａや外側部品であるプレート２１８に当たりながら挿入されても、分割片１１０の先端面側が連結部１０９で連結されているので、分割片１１０が欠けたり、変形したりすることがなくなり、耐久性が向上する。
【００３８】
又、第１及び第２の分割片１１１,１１３は、筒部１０１の径方向に可撓なことにより、外径の異なる複数のセンターポール２１６ａ、内径の異なる複数のプレート２１８に対応できる。
【００３９】
又、従来では、把持部と筒部とが一体とであったのに比べ、本実施の形態例では、筒部１０１と把持部１８０とが着脱可能とされているので、把持部１８０のみを変更すれば、人が持ちやすい形状の芯出し治具にしたり、機械にセット可能な形状の芯出し治具にすることができ、コストダウンが図れる。
【００４０】
【発明の効果】
以上述べたように本発明によれば、請求項１記載の発明によれば、筒部の先端面側が内側部品や外側部品に当たりながら挿入されても、分割片の筒部の先端面側が連結されているので、分割片が欠けたり、変形したりすることがなくなり、耐久性が向上する。
【００４１】
請求項２記載の発明によれば、前記分割片は、前記筒部の径方向に可撓なことにより、外径の異なる複数の内側部品、内径の異なる複数の外側部品に対応できる。
【００４２】
請求項３記載の発明によれば、従来では、把持部と筒部とが一体とであったのに比べ、本発明では、把持部と筒部とが分離されているので、把持部のみを変更すれば、人が持ちやすい形状の芯出し治具にしたり、機械にセット可能な形状の芯出し治具にすることができ、コストダウンが図れる。
【図面の簡単な説明】
【図１】本発明の一実施の形態例の芯出し治具の筒部の斜視図である。
【図２】図１の上面図である。
【図３】図２の切断線III-IIIにおける断面図である。
【図４】図３の切断線IV-IVにおける断面図である。
【図５】筒部と把持部との係合を説明する図である。
【図６】コーン型スピーカを説明する図である。
【図７】従来の芯出し治具を説明する図である。
【符号の説明】
１０１  筒部
１１０  分割片
１１１  第１の分割片
１１３  第２の分割片
１８０把持部
【図１】
0004444412.tif 000002
【図２】
0004444412.tif 000003
【図３】
0004444412.tif 000004
【図４】
0004444412.tif 000005
【図５】
0004444412.tif 000006
【図６】
0004444412.tif 000007
【図７】
0004444412.tif 000008